(57)【要約】【課題】靴やスリッパ等を履いているときのみならず、裸足の場合であっても装着して使用することができ、屋内・屋外を問わず、足裏のアーチを正常に矯正することにより、高齢者の転倒を効果的かつ簡便に防止することができ、もって、高齢者の歩行能力の改善を促すことが可能な足裏用パッドを提供する。【解決手段】本発明の足裏用パッド１０は、足裏の前足部を除く中足部から後足部までを支持する本体部材１と、本体部材１を足裏に位置させる保持部材２とを備え、本体部材１は、足裏との対向面Ａのうち長趾屈筋の腱が第二趾から第五趾へと分岐する分岐点に対応する位置に設けられた突起部３と、足裏との対向面Ａのうち踵骨に対応する領域の外側であって小趾外転筋に対応する領域に設けられた外側隆起部４とを有する。【選択図】図１
2019136503.tif 000002
【特許請求の範囲】
【請求項１】
足裏における前足部を除く中足部から後足部までを支持する本体部材と、この本体部材を足裏に位置させる保持部材とを備え、
前記本体部材が、
足裏との対向面のうち長趾屈筋の腱が第二趾から第五趾へと分岐する分岐点に対応する位置に設けられた突起部と、
足裏との対向面のうち踵骨に対応する領域の外側であって小趾外転筋に対応する領域に設けられた外側隆起部とを有する足裏用パッド。
【請求項２】
前記保持部材が、前記本体部材の足裏との対向面に設けられる粘着性を有する粘着層を有する請求項１に記載の足裏用パッド。
【請求項３】
前記粘着層が、剥離性及び再粘着性を有する請求項２に記載の足裏用パッド。
【請求項４】
前記保持部材が、足の甲に巻回される帯状体を有する請求項１に記載の足裏用パッド。
【請求項５】
前記本体部材が、足裏との対向面の反対側の面うち第一楔状骨から第三楔状骨及び立方骨に対応する領域に設けられた滑り止め部を備える請求項１から請求項４のいずれか一項に記載の足裏用パッド。
【請求項６】
前記本体部材が、足裏との対向面の反対側の面のうち踵骨に対応する領域の後側に設けられた衝撃吸収部を備える請求項１から請求項５のいずれか一項に記載の足裏用パッド。
【発明の詳細な説明】
【技術分野】
【０００１】
本発明は、足裏用パッドに関し、より詳細には、転倒を防止するために足裏に装着して使用する転倒防止のための足裏用パッドに関する。
【背景技術】
【０００２】
現在日本は、戦後の高度経済成長に伴う生活水準の向上、衛生環境の改善及び医療水準の向上等により、総人口に占める６５歳以上人口の割合（高齢化率）が２７．７％という高齢化社会にある（平成３０年版高齢社会白書，内閣府）。６５歳以上の高齢者人口は依然として増加傾向にあり、今後ますます高齢化が進むと予想されている。
【０００３】
拡大する高齢化社会において、高齢者の転倒に起因する日常生活動作（ＡＤＬ：Ａｃｔｉｖｉｔｙ  ｏｆ  Ｄａｉｌｙ  Ｌｉｖｉｎｇ）や生活の質（ＱＯＬ：Ｑｕａｌｉｔｙ  ｏｆ  Ｌｉｆｅ）の低下が問題となっている。高齢者の転倒は、打撲や捻挫などの外傷、骨折を伴うことが多く、治癒力の低い高齢者に至っては、転倒による骨折により、そのまま寝たきりになってしまうことも少なくない。
【０００４】
高齢者の転倒の原因の一つとして、足部形態の変化に伴う足部機能の低下が挙げられる。中でも、加齢や歩行不足による足裏のアーチの形成不全は、尖足、外反足、扁平足等の足部形態の変形につながり、これら変形が重症化すると歩行困難となる場合もある。
【０００５】
従来、高齢者に転倒をもたらす足裏のアーチの形成不全に対しては、中敷き（インソール）を、靴やスリッパ等に挿入又は装着して使用することにより足裏のアーチを正常に矯正しようとする試みがなされている。例えば、特許文献１には、扁平足の矯正と外反足の矯正とを同時に実現するために、靴内に挿入されて使用される足底板が開示されており、特許文献２には、安定した「あおり運動」を実現すべく、平坦面な第１の底面と曲面な第２の底面とを有する支持部材により足裏を支持することで、足の骨格が適した位置に支持されるようにした靴中敷が開示されている。
【先行技術文献】
【特許文献】
【０００６】
【特許文献１】特許第４７１４３２９号公報
【特許文献２】特許第５７９１９７４号公報
【発明の概要】
【発明が解決しようとする課題】
【０００７】
しかしながら、高齢者の転倒は、屋外での行動中のみならず靴等の履物を履いていない屋内での行動中、例えば、トイレや寝室、浴室等における行動中にも発生する場合が多くある。したがって、従来の中敷きによる足裏のアーチの矯正では、日常生活のあらゆる場面における転倒を防止するには十分ではないという問題がある。
【０００８】
また、足裏のアーチの形成が不全であると、足首の状態が不安定になるため立位時及び歩行時の姿勢や身体全体のバランスが崩れやすい。立位時及び歩行時の姿勢や身体全体のバランスが崩れると、靴等の履物の中で足裏が移動してしまうので、従来の中敷きでは、屋外においてさえも、足裏のアーチを効果的に矯正することが難しい場合がある。
【０００９】
本発明は上述のような事情に基づいてなされたものであり、靴やスリッパ等を履いているときのみならず、裸足の場合であっても装着して使用することができ、屋内・屋外を問わず、足裏のアーチを正常に矯正することにより、高齢者の転倒を効果的かつ簡便に防止することができ、もって、高齢者の歩行能力の改善を促すことが可能な足裏用パッドの提供を目的とする。
【課題を解決するための手段】
【００１０】
上記課題を解決するために、第一に本発明は、足裏における前足部を除く中足部から後足部までを支持する本体部材と、この本体部材を足裏に位置させる保持部材とを備え、前記本体部材が、足裏との対向面のうち長趾屈筋の腱が第二趾から第五趾へと分岐する分岐点に対応する位置に設けられた突起部と、足裏との対向面のうち踵骨に対応する領域の外側であって小趾外転筋に対応する領域に設けられた外側隆起部とを有する足裏用パッドを提供する（発明１）。
【００１１】
ここで、本発明における「対応する領域」とは、「小趾外転筋に対応する領域」を例に挙げて説明すると、本発明の足裏用パッドの装着時に、小趾外転筋の大部分が接する領域を意味する。
【００１２】
かかる発明（発明１）によれば、足裏用パッドを装着した際に、突起部が、長趾屈筋の腱が第二趾から第五趾へと分岐する分岐点を刺激することにより母趾外転筋の崩れに張りを持たせるとともに、外側隆起部が、踵骨に対応する領域の外側であって小趾外転筋に対応する領域を押し上げることにより小趾外転筋の働きを正常方向へ導くので、内側縦アーチ、外側縦アーチ及び近位横アーチを正常な状態に矯正することができる。また、かかる発明の足裏用パッドは、本体部材が前足部を覆っていないので、立位時及び歩行時の安定性に影響を与える五指の動きが妨げられることがない。さらに、保持部材を用いることで、靴やスリッパ等を履いているときのみならず、裸足の場合であっても装着して使用することができ、屋内・屋外を問わず、足裏のアーチを正常に矯正することにより、高齢者の転倒を効果的かつ簡便に防止することができ、もって、高齢者の歩行能力の改善を促すことができる。
【００１３】
上記発明（発明１）において、前記保持部材が、前記本体部材の足裏との対向面に設けられる粘着性を有する粘着層を有していてもよい（発明２）。
【００１４】
かかる発明（発明２）によれば、保持部材が粘着層を有することによって、本体部材を足裏に直に粘着させて使用することができる。
【００１５】
上記発明（発明２）において、前記粘着層が、剥離性及び再粘着性を有することが好ましい（発明３）。
【００１６】
かかる発明（発明３）によれば、足裏用パットを繰り返し使用することが可能であり経済的であるとともに、必要に応じて洗浄等を行った上で繰り返し使用することで、衛生面での安全性も保持される。
【００１７】
上記発明（発明１）において、前記保持部材が、足の甲に巻回される帯状体を有していてもよい（発明４）。
【００１８】
かかる発明（発明４）によれば、保持部材が足の甲に巻回される帯状体を有することによって、使用者の足裏の形状や足の甲の高さの違いに応じて巻回状態を調整することができるので、どのような使用者に対しても適切な装着状態を確保することができる。
【００１９】
上記発明（発明１−４）においては、前記本体部材が、足裏との対向面の反対側の面のうち第一楔状骨から第三楔状骨及び立方骨に対応する領域に設けられた滑り止め部を備えることが好ましい（発明５）。
【００２０】
かかる発明（発明５）によれば、足裏用パッドを装着した際、特に立位時及び歩行時に、滑り止め部がストッパーとして働くので、中足骨から趾骨（第一趾骨から第五趾骨）までの働きが有効になり、安定した歩行動作を行うことができる。また、滑り止め部は、長腓骨筋を刺激する働きも有するため、これにより近位横アーチが正常な状態に矯正されることで、第一趾から第五趾の自由な動きが促進され、踏み出しの際に足指に力を入れることができるとともに、身体全体のバランスを保つことができる。
【００２１】
上記発明（発明１−５）においては、前記本体部材が、足裏との対向面の反対側の面のうち踵骨に対応する領域の後側に設けられた衝撃吸収部を備えることが好ましい（発明６）。
【００２２】
かかる発明（発明６）によれば、足裏用パッドを装着した際に、衝撃吸収部が歩行等の衝撃を緩衝するので、踵骨への負担を和らげることができるとともに、安定した歩行動作を行うことができる。
【発明の効果】
【００２３】
本発明の足裏用パッドによれば、装着した際に、突起部が、長趾屈筋の腱が第二趾から第五趾へと分岐する分岐点を刺激することにより母趾外転筋の崩れに張りを持たせるとともに、外側隆起部が、踵骨に対応する領域の外側であって小趾外転筋に対応する領域を押し上げることにより小趾外転筋の働きを正常方向へ導くので、内側縦アーチ、外側縦アーチ及び近位横アーチを正常な状態に矯正することができる。また、かかる発明の足裏用パッドは、本体部材が前足部を覆っていないので、立位時及び歩行時の安定性に影響を与える五指の動きが妨げられることがない。さらに、保持部材を用いることで、靴やスリッパ等を履いているときのみならず、裸足の場合であっても装着して使用することができ、屋内・屋外を問わず、足裏のアーチを正常に矯正することにより、高齢者の転倒を効果的かつ簡便に防止することができ、もって、高齢者の歩行能力の改善を促すことができる。
【図面の簡単な説明】
【００２４】
【図１】本発明の第一実施形態に係る足裏用パッド（右足）を示す図であって、（ａ）は足裏との対向面側を示す模式図、（ｂ）は足裏との対向面と反対側の面を示す模式図である。
【図２】図１に示される足裏用パッドを、図６（ａ）の骨格構造と共に示す模式図である。
【図３】図１に示される足裏用パッドを、図７の筋肉構造と共に示す模式図である。
【図４】本発明の第二実施形態に係る足裏用パッド（右足）を示す図であって、（ａ）は足裏との対向面側を示す模式図、（ｂ）は巻回状態を示す模式的斜視図である。
【図５】図４に示される足裏用パッドの変形例を示す図であって、（ａ）は足裏との対向面側を示す模式図、（ｂ）は足裏側から見た巻回状態を示す模式図、（ｃ）は足の甲側から見た巻回状態を示す模式図である。
【図６】人間の右足の骨格構造を示す図であって、（ａ）は足裏側から見た模式図、（ｂ）は左斜め前側から見た斜視図である。
【図７】人間の右足を足裏から見た筋肉構造を示す図であって、（ａ）は第１層筋群の模式図、（ｂ）は第２層筋群の模式図である。
【発明を実施するための形態】
【００２５】
以下、本発明の足裏用パッドの実施の形態について、適宜図面を参照して説明する。以下に説明する実施形態は、本発明の理解を容易にするためのものであって、何ら本発明を限定するものではない。なお、本発明の足裏用パッドは左右対称とされているので、以下においては、右足用のものについて説明し、左足用のものについては図示及び詳細な説明を省略する。
【００２６】
〔足裏用パッド〕
〈第一実施形態〉
図１は、本発明の第一実施形態に係る足裏用パッド１０を示す図であって、図１（ａ）は足裏との対向面Ａ側を示す模式図、図１（ｂ）は足裏との対向面と反対側の面Ｂ側を示す模式図である。図１に示す足裏用パッド１０は、本体部材１、保持部材２、本体部材１の足裏との対向面Ａに設けられた、突起部３、外側隆起部４、本体部材１の足裏との対向面と反対側の面Ｂに設けられた、滑り止め部５、衝撃吸収部６を主に備える。本実施形態において、保持部材２は、本体部材１の足裏との対向面Ａに設けられる粘着性を有する粘着層２１を有する。
【００２７】
図２は、図１に示される足裏用パッド１０を、図６（ａ）の骨格構造と共に示す模式図であり、骨格構造は足裏用パッド１０に重ねて示されている。上述のように、突起部３、外側隆起部４は、本体部材１の足裏との対向面Ａに設けられており、滑り止め部５、衝撃吸収部６は、本体部材１の足裏との対向面と反対側の面Ｂに設けられている。このため、突起部３、外側隆起部４は、図２の状態では視認されないものであるが、便宜的に透過して描画している。また、図３は、図１に示される足裏用パッドを、図７の筋肉構造と共に示す模式図であり、筋肉構造は足裏用パッド１０に重ねて示されている。図３においても、突起部３、外側隆起部４は、図３の状態では視認されないものであるが、便宜的に透過して描画している。
【００２８】
図６は、人間の右足の骨格構造を示す図であって、図６（ａ）は足裏側から見た模式図、図６（ｂ）は左斜め前側から見た斜視図である。足裏のアーチとは、図６（ａ）及び（ｂ）に示すように、母趾球、小趾球、踵の３点を結んだ、内側縦アーチ、外側縦アーチ及び横アーチの３つのアーチを意味する。これら足裏のアーチは、主に骨、筋肉及び靭帯により構成され、走行時の衝撃を緩和する働きや、立位時のバランス能力を向上させる働きがある。内側縦アーチとは、踵骨から、距骨、舟状骨、第一（内側）楔状骨を越えて第一中足骨にかけて形成されるアーチである。外側縦アーチとは、踵骨から、立方骨を越えて第五中足骨にかけて形成されるアーチである。また、横アーチとは、内側縦アーチと外側縦アーチとの間に形成されるアーチである。横アーチには、母趾球から小趾球にかけて形成される遠位横アーチと、第一楔状骨から第二楔状骨、第三楔状骨を超えて立方骨にかけて形成される近位横アーチとがある。これら足裏のアーチの形成が不全であると、尖足、外反足、扁平足等の足部形態の変形につながり、変形が重症化すると歩行困難となる場合もある。
【００２９】
図７は、人間の右足を足裏から見た筋肉構造を示す図であって、図７（ａ）は第１層筋群の模式図、図７（ｂ）は第２層筋群の模式図である。足裏のアーチの形成に関与する主な筋肉としては、図７（ａ）及び（ｂ）に示すように、長趾屈筋、母趾外転筋、小趾外転筋、長腓骨筋がある。長趾屈筋とは、下腿の後側に位置する深層筋であり、図７（ｂ）に示すように、足裏で４本の腱に分岐して第二趾から第五趾の末節骨で停止するものであって、主に内側縦アーチの形成に関与するが、同時に外側縦アーチ及び近位横アーチの形成に関与する。母趾外転筋とは、図７（ａ）に示すように、足裏の筋肉で最外層に位置する筋肉であって、特に内側縦アーチの形成に関与する。また、小趾外転筋とは、図７（ａ）に示すように、踵骨から第五趾の外側へと走行する筋肉であって、第五趾の基節骨を外転及び屈曲させる作用を持ち、主に外側縦アーチの形成に関与する。長腓骨筋とは、下腿の側面に位置する筋肉であって、図７（ａ）及び（ｂ）に示すように、足裏においては、立方骨、第一（内側）楔状骨を通り第一中足骨の基部に停止するものであって、主に内側縦アーチや遠位横アーチの形成に関与する。
【００３０】
次に、本実施形態の足裏用パッド１０が備える、本体部材１、保持部材２、突起部３、外側隆起部４、滑り止め部５、衝撃吸収部６について、適宜図面を参照しつつ詳説する。以下の説明において、足裏用パッド１０、本体部材１又は足裏等の「外側」とは第五趾側を、「内側」とは第一趾側を、「前側」とは足指側を、「後側」とは踵側を、それぞれ意味する。
【００３１】
［本体部材］
本体部材１は、図２に示すように、足裏の前足部を除く中足部から後足部までを支持する部材である。本発明の足裏用パッド１０は、このように本体部材１が前足部を覆っていないので、立位時や歩行時の安定性に影響を与える五指の動きが妨げられることがない。本体部材１の形状は、本実施形態においては、図２に示すように、足裏の中足部から後足部までをすべて覆う形状であるが、少なくとも突起部３及び外側隆起部４が、足裏との対向面Ａの所定の位置に設けられていればよく、これに制限されるものではない。
【００３２】
本体部材１の素材としては、装着した際に足裏の形状に沿うよう柔軟性に優れ、かつ通気性に優れた素材が好ましく、コットンファイバーを用いた不織布又は織布シート、ポリエステルメッシュ編生地、発泡ポリウレタン樹脂や発泡ポリエチレン等の多孔質シート等が挙げられるが、これらに制限されるものではない。例えば、後述する突起部２及び外側隆起部３が、本体部材１と一体的に形成される場合には、素材として、ＥＶＡ（エチレン・酢酸ビニル共重合体）、エラストマー樹脂、弾性ポリウレタン、コルク、ゴム等を用いてもよい。なお、本体部材１は、少なくとも足裏との対向面の反対側の面Ｂの表面が滑らかに加工されていることが好ましい。足裏との対向面の反対側の面Ｂの表面が滑らかに加工されていることにより、裸足への装着時、特に歩行時に足底面が移動し易くなるので、足底面と接地面との不必要な摩擦による転倒等を防ぐことができる。
【００３３】
［保持部材］
保持部材２は、図２に示すように、本体部材１を足裏に位置させる部材であって、本実施形態においては、粘着性を有する粘着層２１を有する。粘着層２１は、図１（ａ）に示すように、本体部材１の足裏との対向面Ａに設けられる。本実施形態に係る足裏用パッド１０は、このように保持部材２が粘着層２１を有することによって、本体部材１を足裏に直に粘着させて使用することができるので、靴やスリッパ等を履いているときのみならず、裸足の場合であっても装着して使用することができ、屋内・屋外を問わず、足裏のアーチを正常に矯正することができる。粘着層２１は、本実施形態においては、剥離性及び再粘着性を有する。粘着層２１がこのように構成されていることにより、足裏パット１０を繰り返し使用することが可能であり経済的であるとともに、必要に応じて洗浄等を行った上で繰り返し使用することで、衛生面での安全性も保持される。
【００３４】
粘着層２１は、本実施形態においては、図１（ａ）に示すように、本体部材１の足裏との対向面Ａのうち、突起部３及び外側隆起部４以外を占めるように設けられているが、装着した際に、本体部材１と足裏との粘着がずれたりはずれたりしにくければ、これに制限されるものではなく、例えば、本体部材１の足裏との対向面Ａの一部に設けられていてもよい。また、粘着層２１の素材としては、足裏に直に接着する場合を考慮し、かぶれにくく、かつ通気性に優れた素材が好ましく、このような特性を有する粘着シート等が挙げられるがこれに制限されるものではない。粘着層２１は、剥離性及び再粘着性を有するものであるが、これは例えば、親水性ポリマーに含水させたハイドロゲルにより形成し、粘着剤を用いることで足裏に粘着させるとともに粘着剥離剤を用いることで足裏から剥離するように構成してもよい。上述のようなハイドロゲルとしては、積水化成品工業社製のテクノゲル（登録商標）が好適に使用できる。このように保持部材２が粘着層２１を有することによって、足裏用パット１０を繰り返し使用することが可能であり経済的であるとともに、必要に応じて洗浄等を行った上で繰り返し使用することで、衛生面での安全性も保持される。
【００３５】
さらに、粘着層２１は、あらかじめシート状に成形した粘着層２１を本体部材１の所定位置に貼り付けて使用することで、本体部材１に対して交換可能に構成してもよい。このように粘着層２１が、本体部材１に対して交換可能であることにより、足裏用パッド１０の使用に伴い、粘着層２１の足裏に対する接着力が低下したり、破損したり、汚れが目立つようになった場合等にも、粘着層２１のみを適宜新品のものと交換すればよく、足裏用パッド１０全体を新品のものと交換する必要がないので経済的である。
【００３６】
［突起部］
突起部３は、図３（ｂ）に示すように、本体部材１の足裏との対向面Ａのうち長趾屈筋の腱が第二趾から第五趾へと分岐する分岐点に対応する位置に設けられる。本発明の足裏用パッド１０は、このように突起部３が、長趾屈筋の腱が第二趾から第五趾へと分岐する分岐点を刺激することにより母趾外転筋の崩れに張りを持たせ、第一中足骨の働きの助けになるとともに、内側縦アーチ、外側縦アーチ及び近位横アーチという３つのアーチを同時に正常な状態に矯正することができる。また、足底筋膜に張りを持たせることにより、安定した蹴り出し及び踏み込みを行うことができる。
【００３７】
突起部３の形状は、本実施形態においては、図１−３に示すように、長趾屈筋の腱が第二趾から第五趾へと分岐する分岐点に対応する位置に最も高さを有する部分３１を有し、長趾屈筋の腱に沿って本体部材１の内側の縁まで延びつつ、本体部材１の足裏との対向面Ａに向かって緩やかに傾斜する形状である。突起部３がこのような形状であることにより、足裏への過剰な刺激による不快感を与えることなく、長趾屈筋の腱が第二趾から第五趾へと分岐する分岐点を適切に刺激することにより、母趾外転筋の崩れに張りを持たせることができる。なお、突起部３の最も高さを有する部分３１は、直径が１ｃｍ程度の略円状を有し、その高さが２ｍｍから５ｍｍ程度であることが好ましいが、これに制限されるものではなく、使用者の症状や足部形態の状況等に応じて適宜設定することができる。
【００３８】
突起部３の素材としては、装着した際、特に立位時及び歩行時に、長趾屈筋の腱が第二趾から第五趾へと分岐する分岐点を適切に刺激することができれば特に制限されず、使用者の症状や足部形態の状況等に応じて適宜設定することができ、例えば、ＥＶＡ（エチレン・酢酸ビニル共重合体）、エラストマー樹脂、弾性ポリウレタン、コルク、ゴム等が使用できる。
【００３９】
［外側隆起部］
外側隆起部４は、図２及び図３（ａ）に示すように、本体部材１の足裏との対向面Ａのうち踵骨に対応する領域の外側であって小趾外転筋に対応する領域に設けられる。本発明の足裏用パッド１０は、このように外側隆起部４が、踵骨に対応する領域の外側であって小趾外転筋に対応する領域を押し上げることにより小趾外転筋の働きを正常方向へ導くので、特に外側縦アーチを正常な状態に矯正することができる。また、外側隆起部４の押し上げ作用により、第五趾が押し上げられるので転倒しにくくなるとともに、足裏の外側に体重が掛かることで歩行時に横揺れが生じるのを防止することができ、安定した歩行を行うことができる。
【００４０】
外側隆起部４の形状は、本実施形態においては、図１−３に示すように、踵骨に対応する領域の外側であって、小趾外転筋に対応する領域に最も高さを有する部分４１を有し、小趾外転筋に沿って本体部材１の外側の縁まで延びつつ、本体部材１の足裏との対向面Ａに向かって緩やかに傾斜する形状である。外側隆起部４がこのような形状であることにより、足裏への過剰な刺激による不快感を与えることなく、踵骨に対応する領域の外側であって小趾外転筋に対応する領域を適切に押し上げることにより、小趾外転筋の働きを正常方向へ導くことができる。なお、外側隆起部４の最も高さを有する部分４１は、長径が３ｃｍ程度、短径が１ｃｍ程度の略楕円状を有し、その高さが３ｍｍから７ｍｍ程度であることが好ましいが、これに制限されるものではなく、使用者の症状や足部形態の状況等に応じて適宜設定することができる。
【００４１】
外側隆起部４の素材としては、装着した際、特に立位時及び歩行時に、踵骨に対応する領域の外側であって小趾外転筋に対応する領域を適切に押し上げることができれば特に制限されず、使用者の症状や足部形態の状況等に応じて適宜設定することができ、例えば、ＥＶＡ（エチレン・酢酸ビニル共重合体）、エラストマー樹脂、弾性ポリウレタン、コルク、ゴム等が使用できる。
【００４２】
［滑り止め部］
滑り止め部５は、図２に示すように、足裏との対向面の反対側の面Ｂのうち第一楔状骨から第三楔状骨及び立方骨に対応する領域に設けられる。本発明の足裏用パッド１０は、このように滑り止め部５がストッパーとして働くので、中足骨から趾骨（第一趾骨から第五趾骨）までの働きが有効になり、安定した歩行動作を行うことができる。また、滑り止め部５は、長腓骨筋を刺激する働きも有するため、これにより近位横アーチが正常な状態に矯正されることで、第一趾から第五趾の自由な動きが促進され、踏み出しの際に足指に力を入れることができるとともに、身体全体のバランスを保つことができる。
【００４３】
滑り止め部５の形状は、本実施形態においては、図１−３に示すように、第一楔状骨から第三楔状骨及び立方骨に対応する領域を覆う形状である。滑り止め部５がこのような形状であることにより、中足骨から趾骨（第一趾骨から第五趾骨）までの働きが有効になるとともに、第一趾から第五趾の自由な動きが促進される。なお、滑り止め部５は、長腓骨筋を刺激する働きを考慮すると、その高さが５ｍｍ程度であることが好ましいが、これに制限されるものではなく、使用者の症状や足部形態の状況等に応じて適宜設定することができる。
【００４４】
滑り止め部５の素材としては、装着した際、特に立位時及び歩行時に、滑り止め機能を発揮することができれば特に制限されず、使用者の症状や足部形態の状況等に応じて適宜設定することができ、例えば、ＥＶＡ（エチレン・酢酸ビニル共重合体）、エラストマー樹脂、弾性ポリウレタン、コルク、ゴム等が使用できる。また、滑り止め部５は、素材自体が滑り止め機能を有している必要はなく、例えば、滑り止め部５が床又は地面と対向する面に凹凸等を設けることにより滑り止め機能を有するように構成してもよい。
【００４５】
［衝撃吸収部］
衝撃吸収部６は、図２に示すように、足裏との対向面の反対側の面Ｂのうち踵骨に対応する領域の後側に設けられる。本発明の足裏用パッド１０は、このように衝撃吸収部６が歩行等の衝撃を緩衝するので、踵骨への負担を和らげることができるとともに、安定した歩行動作を行うことができる。
【００４６】
衝撃吸収部６の形状は、本実施形態においては、図１−３に示すように、踵骨に対応する領域の後側を覆う形状である。衝撃吸収部６がこのような形状であることにより、歩行等の衝撃を緩衝することができる。なお、衝撃吸収部６は、その高さが５ｍｍ程度であることが好ましいが、これに制限されるものではなく、使用者の症状や足部形態の状況等に応じて適宜設定することができる。
【００４７】
衝撃吸収部６の素材としては、装着した際、特に歩行時の衝撃を緩衝することができれば特に制限されず、使用者の症状や足部形態の状況等に応じて適宜設定することができ、例えば、ＥＶＡ（エチレン・酢酸ビニル共重合体）、エラストマー樹脂、弾性ポリウレタン、コルク、ゴム等が使用できる。なお、衝撃吸収部６は、さらに滑り止め機能を有していてもよい。
【００４８】
〈第二実施形態〉
図４は、本発明の第二実施形態に係る足裏用パッド１００を示す図であって、（ａ）は足裏との対向面Ａ側を示す模式図、（ｂ）は巻回状態を示す模式的斜視図である。図４に示す足裏用パッド１００は、本体部材１、保持部材２、本体部材１の足裏との対向面Ａに設けられた、突起部３、外側隆起部４、本体部材１の足裏との対向面と反対側の面Ｂに設けられた、滑り止め部５、衝撃吸収部６を主に備える。本実施形態において、保持部材２は、足の甲に巻回される帯状体２２を有する。
【００４９】
なお、第二実施形態に係る足裏用パッド１００は、保持部材２が異なる以外は、第一実施形態に係る足裏用パッド１０と同様であるため、第一実施形態と共通の要素には同じ符号を付すとともに、第一実施形態と重複する要素の説明は省略する。
【００５０】
［保持部材］
保持部材２は、図４（ａ）に示すように、本体部材１を足裏に位置させる部材であって、本実施形態においては、足の甲に巻回される帯状体２２を有する。帯状体２２は、本体部材１の左右両方向に延出するよう本体部材１の両側部に固着されており、本体部材１の内側に位置する第一帯状体２２ａと本体部材１の外側に位置する第二帯状体２２ｂの所定箇所が、図４（ｂ）に示すように、足の甲に巻回された際に第一帯状体２２ａを上にして重ね合うよう構成されている。第一帯状体２２ａと第二帯状体２２ｂとが重ね合う部分には、面ファスナー等の係合手段２３が設けられており、互いに着脱可能となっている。
【００５１】
本実施形態に係る足裏用パッド１００は、このように保持部材２が足の甲に巻回される帯状体２２を有し、第一帯状体２２ａと第二帯状体２２ｂとが、係合手段２３によって着脱可能に構成されていることにより、使用者の足裏の形状や足の甲の高さの違いに応じて巻回状態を調整することができるので、どのような使用者に対しても適切な装着状態を確保することができる。
【００５２】
なお、帯状体２２の長さとしては、使用者の足の甲に巻回すことで本体部材１を足裏に装着させることができればよく、図４に示される形態に制限されるものではない。例えば、図５に示す変形例が適用されてもよい。図５は、本実施形態の足裏用パッド１００の変形例を示す図であって、（ａ）は足裏との対向面側を示す模式図、（ｂ）は足裏側から見た巻回状態を示す模式図、（ｃ）は足の甲側から見た巻回状態を示す模式図である。
【００５３】
変形例において、帯状体２２は、図５（ｃ）に示すように、第二帯状体２２ｂが、足裏の外側から内側に向かって足の甲を通って足首の後側に配置されるとともに、第一帯状体２２ａが、足裏の内側から外側に向かって第二帯状体２２ｂが巻回された足の甲を通って足首の後側に配置され、第一帯状体２２ａを上にして所定箇所が重ね合うよう構成されている。このように帯状体２２の第一帯状体２２ａと第二帯状体２２ｂとが、足の甲で交差するよう構成されていることによって、より適切な装着状態を確保することができるとともに、足首をサポートするテーピング機能も発揮される。
【００５４】
なお、本実施形態における帯状体２２の素材としては、足の甲に巻回すことで本体部材１を足裏に位置させるものであることを考慮し、伸縮性を有する素材が好ましく、例えば、芯糸の弾性糸にナイロン等のウーリー加工糸をそれぞれＳ方向とＺ方向に二重に巻き付けたダブルカバーリングヤーン（ＤＣＹ）や、芯糸の弾性糸にナイロン等のウーリー加工糸をＳ方向とＺ方向のいずれか一方向に一重に巻き付けたシングルカバーリングヤーン（ＳＣＹ）等が挙げられるが、これに制限されるものではない。帯状体２２に設けられる係合手段２３としては、第一帯状体２２ａと第二帯状体２２ｂとが重ね合う部分が着脱可能であれば特に制限されるものではないが、使用者の足裏の形状や足の甲の高さの違いに応じて広い範囲で巻回状態を調整することができることから、面ファスナーを用いることが好ましい。
【００５５】
また、帯状体２２は、本実施形態においては、図４（ａ）及び図５（ａ）に示すように、本体部材１の内側に位置する第一帯状体２２ａと本体部材１の外側に位置する第二帯状体２２ｂとを有し、第一帯状体２２ａと第二帯状体２２ｂとが係合手段２３によって着脱可能に構成されるものであるが、装着した際に、本体部材１を足裏に位置させることができれば、これに制限されるものではなく、例えば、第一帯状体２２ａと第二帯状体２２ｂとが一連に形成された環状構造を有するものであってもよい。
【００５６】
〔足裏用パッドの製造方法〕
〈第一実施例〉
上述した第一実施形態の足裏用パッド１０の製造方法については、特に制限されるものでなく、例えば、あらかじめ成形した本体部材１に対して、足裏との対向面Ａに突起部３、外側隆起部４、粘着層２１を形成し、足裏との対向面の反対側の面Ｂに滑り止め部５、衝撃吸収部６を形成してもよいし、それぞれを別個の部材として成形した上で結合してもよいし、一部またはすべてを一体成形してもよい。また、例えば粘着層２１は、本体部材１と突起部３と外側隆起部４とを一体成形した場合には、突起部３及び外側隆起部４を含む本体部材１の足裏との対向面Ａに対して、粘着シート等を被覆することで形成してもよいし、本体部材１と粘着層２１とを一体成形した場合には、つまり、本体部材１自体を粘着性のある素材で成形した場合には、本体部材１の足裏との対向面Ａに対して、突起部３及び外側隆起部４を形成してもよい。
【００５７】
〈第二実施例〉
上述した第二実施形態の足裏用パッド１００の製造方法については、特に制限されるものでなく、例えば、あらかじめ成形した本体部材１に対して、足裏との対向面Ａに突起部３、外側隆起部４を形成し、足裏との対向面の反対側の面Ｂに滑り止め部５、衝撃吸収部６を形成した上で、別途形成した帯状体２２を、本体部材１の両側部に固着してもよい。突起部３、外側隆起部４、滑り止め部５、衝撃吸収部６についても、それぞれを別個の部材として成形した上で、本体部材１に結合してもよいし、一部またはすべてを一体成形してもよい。また、帯状体２は、本体部材１と一体成型されるものであってもよい。
【００５８】
以上、本発明について図面を参照にして説明してきたが、本発明は上記実施形態に限定されず、種々の変更実施が可能である。上記実施形態においては主に、本発明の足裏用パッドを、保持部材によって足裏に直に装着して使用する場合について説明しているが、本発明の足裏用パッドは、靴下を履いた上から足裏面に装着して使用してもよいし、足裏に直に装着した上で靴やスリッパ等を履くことにより使用してもよい。また、上記実施形態においては、保持部材として、粘着層によるものと帯状体によるものについて説明しているが、保持部材は、粘着層と帯状体のいずれをも有するものとしてもよく、この場合には、粘着層と帯状体との併用による相乗効果によって、より適切な装着状態が得られる。さらに、保持部材は、本体部材を足裏に位置させることができればこれらに限られるものではなく、例えば、保持部材を足袋形状や靴下形状とし、その足底部分に本体部材を配置させた構成であってもよい。
【００５９】
以上のように、本発明の足裏用パッドによれば、装着した際に、突起部が、長趾屈筋の腱が第二趾から第五趾へと分岐する分岐点を刺激することにより母趾外転筋の崩れに張りを持たせるとともに、外側隆起部が、踵骨に対応する領域の外側であって小趾外転筋に対応する領域を押し上げることにより小趾外転筋の働きを正常方向へ導くので、内側縦アーチ、外側縦アーチ及び近位横アーチを正常な状態に矯正することができる。また、かかる発明の足裏用パッドは、本体部材が前足部を覆っていないので、立位時及び歩行時の安定性に影響を与える五指の動きが妨げられることがない。さらに、保持部材を用いることで、靴やスリッパ等を履いているときのみならず、裸足の場合であっても装着して使用することができ、屋内・屋外を問わず、足裏のアーチを正常に矯正することにより、高齢者の転倒を効果的かつ簡便に防止することができ、もって、高齢者の歩行能力の改善を促すことができる。
【産業上の利用可能性】
【００６０】
本発明は、転倒を防止するために使用する、特に高齢者の転倒を効果的かつ簡便に防止し、もって、高齢者の歩行能力の改善を促すために足裏に装着して使用する足裏用パッドとして有用である。
【符号の説明】
【００６１】
１０  足裏用パッド
１  本体部材
２  保持部材
２１  粘着層
２２  帯状体
２２ａ  第一帯状体
２２ｂ  第二帯状体
２３  係合手段
３  突起部
３１  最も高さを有する部分
４  外側隆起部
４１  最も高さを有する部分
５  滑り止め部
６  衝撃吸収部
Ａ  足裏との対向面
Ｂ  足裏との対向面の反対側の面
【図１】
2019136503.tif 000003
【図２】
2019136503.tif 000004
【図３】
2019136503.tif 000005
【図４】
2019136503.tif 000006
【図５】
2019136503.tif 000007
【図６】
2019136503.tif 000008
【図７】
2019136503.tif 000009